(57)【要約】【課題】  本発明は、融雪シート内に収納した発熱体に接続した電源コードへ、融雪した水等が浸入する問題を解決することである。【解決手段】  電源コードを有する発熱体を収納したシート袋の表面に第１ポケット及び第２ポケットを溶着形成し、挿通孔に電源コードを挿通できる前記第１ポケットと、前記第１ポケットに隣接し挿通孔に前記電源コードを挿通し、上面に注入孔、下面に逆止弁を設け前記注入孔から逆止弁にかけて樹脂注入し完全防水する第２ポケットとからなることを特徴とする防水電熱シートの構成とした。 【選択図】  図１ 
2005310443.tif 000002
【特許請求の範囲】
【請求項１】
電源コードを有する発熱体を収納したシート袋の表面に第１ポケット及び第２ポケット
を溶着形成し、挿通孔に電源コードを挿通できる前記第１ポケットと、前記第１ポケットに隣接し挿通孔に前記電源コードを挿通し、上面に注入孔、下面に逆止弁を設け前記注入孔から逆止弁にかけて樹脂注入し完全防水する第２ポケットとからなることを特徴とする防水電熱シート。
【発明の詳細な説明】
【技術分野】
【０００１】
本発明は、床暖房等に使用し床や床上に立つ人の足先等をあたためる面状ヒータを有した電熱シート又は、屋外で使用する道路上や屋根に降り積もった雪や氷等を融雪する線状ヒータを内部に有した融雪マットに関する改良発明である。
【背景技術】
【０００２】
従来の各電熱シートは、３種類の発熱体の構造からなり、直列電極等も用いニクロム線やアルミ箔等からなる線状ヒーターや、並列電極を用い炭素繊維や布等からなるサーモセンサーを有した面状ヒーター、そして同並列電極を用い織布や網布等からなりサーモセンサーを取り除いた線面状ヒーターがある。具体的には、床暖房等であれば、床内部に埋設する若しくは床の上面に前記電熱シートを敷設することで床や床の上にいる人の足を暖めることができ、また前記電熱シートを内部に包含した融雪用マットの場合、マット上に積もった雪を融雪し、道路の舗装体内部の凍結防止を行うロードヒーティング舗装や、屋根に埋設した電熱線を熱源とし、通電を行うことで上記舗装体内や屋根等の雪等を融解できる「電熱シート」があった。
【０００３】
しかしながら、床暖房等で使用する電熱シート、屋根、舗装道路等で使用する融雪用マットのいずれも各ヒーターに接続するためには電源コードを設けなければならず、各電源コードを絶縁体であるゴム被膜等で覆う等しても本体から電源コードを導出する際に設けた導出孔は完全に密着できず、前記導出孔の隙間から水が侵入する恐れがあったため、防水電熱シート全体の漏電や漏電による火災をも引き起こす恐れがあった。
【０００４】
また従来の発明として特許文献１に記載した「融雪マット」がある。前記融雪マットは、両端部に一対の電極導線を配置した織布に発熱用の導電性塗料をコーティングした発熱体層と、該発熱体層の上面及び下面にラミネートされた塩化ビニールシートと、該塩化ビニールシートの上面および下面に密着するように貼り付けられて表面にゴム入り樹脂層を有するアルミシートとを備えた融雪マットであった。
【０００５】
前記「融雪マット」を構成する電源コードは、電源供給用の複数のリード線を、接続端子に半田付け等により固着するか、又は、圧着端子を介して接続リードの一端に半田付け等により固着していた。なお、半田付けの接続部分（図示せず）には、十分な防水処理を施すために絶縁テープ等で貼着して固定していた。
【特許文献１】特開平９−１７７０５４号公報
【発明の開示】
【発明が解決しようとする課題】
【０００６】
本発明で解決しようとする問題点は、防水電熱シート内に備えた発熱体に接続した電源コードへ外部から水等が浸入し、前記発熱体の内部に設けた線状ヒーター又は面状ヒーター等が漏電や故障等を引き起こす点である。
【０００７】
そこで、本発明は、融雪水等の侵入を完全に防止するために、融雪マット等の上部又は発熱体を覆うカバー等の上面に密着し内部に合成樹脂を充填したポケットを設け、前記ポケット内部の電源コードをポケットの外側からポケットの内側に挿通することで、外側の導出口及び、内側のからの水の侵入を完全に防止できることを特徴とする。
【課題を解決するための手段】
【０００８】
本発明は、上記の課題を解決するために、電源コード５を有する発熱体４を収納したシート袋３の表面に第１ポケット２ａ及び第２ポケット２ｂを溶着形成し、前記第１ポケット２ａに形成した挿通孔２ｉ、２ｊに電源コード５を挿通し、前記第２ポケット２ｂに成形した挿通孔２ｅ、２ｆに前記電源コード５を挿通し前記第２ポケット２ｂの上面に設けた注入孔２ｄから逆止弁２ｈにかけて樹脂６を第２ポケット２ｂ内部に充填することで完全防水ができることを特徴とする防水電熱シートである。
【発明の効果】
【０００９】
第１に軟質合成樹脂面上に電源コードを挿通でき、複数の挿通孔を有し、シリコン樹脂を充填できるポケットを備えることで、かかる電源コードの防水性や、電源コードを樹脂で固定できることで断線を防止できる防水電熱シートを提供することができる。具体的に家庭では台所の床やトイレの床など水回りの場所で本発明である防水電熱シートを敷設できるため、真冬でも足下の寒さを容易に解消することができる。
【発明を実施するための最良の形態】
【００１０】
本発明は、軟質性樹脂を用いたシート袋３に設けた電源コードの導出口に樹脂を充填したポケットを備えることで防水電熱シートを提供することができる。
【実施例１】
【００１１】
以下に添付図面に基づき、本発明である防水電熱シートについて詳細に説明する。
図１は、本発明を構成する発熱体を収納した防水電熱シートの正面図、図２は、本発明である防水電熱シートの正面図である。
【００１２】
本発明である防水電熱シート１は、電源コード５を有する発熱体４を収納したシート袋３の表面に第１ポケット２ａ及び第２ポケット２ｂを溶着形成し挿通孔２i、２ｊに電源コード５を挿通できる前記第１ポケット２ａと、前記第１ポケット２ａに隣接し挿通孔２ｅ、２ｆに前記電源コード５を挿通し、上面に注入孔２ｄ、下面に逆止弁２ｈを設け前記注入孔２ｄから逆止弁２ｈにかけて樹脂６を注入し完全防水する第２ポケット２ｂとからなることを特徴とする防水電熱シートである。
【００１３】
シート袋３には軟質性樹脂を用い、前記シート袋３に収納し、電源コード５等と一体して設けている発熱体４の左右両端には電極である給電端子（図示せず）等を備えている。また本発明では、前記シート袋３の上面に一体形成したポケット２で、発熱体４から伸びた前記電源コード５を第１ポケット２ａで固定すると共に、電源コード５を第２ポケット２ｂに挿通し、さらに電源コード５が挿通した後の前記第２ポケット２ｂに樹脂６を注入することで電源コード５の防水を行うことができることを特徴とする。
【００１４】
シート袋３は、略長方形状の上シート材３ａと、下シート材３ｂとからなり、重なり合った前記上シート材３ａと下シート材３ｂのあわせ目を溶着した外縁３ｃとからなる。前記上シート材３ａ及び下シート材３ｂの材料は、軟質合成樹脂であり、具体的には軟質塩化ビニル、軟質ポリ塩化ビニル、オレフィン系樹脂等を使用することができる。シート袋３の外縁３ｃの溶着は、高周波ウェルダー加工のように被加熱体であるシート袋３の分子を振動させることで内部加熱によってロ字状に溶着している。
【００１５】
発熱体４は、断熱材である繊維層４ａとスポンジ層４ｂとからなる。発熱体４の上面には、電源コード５から分岐した第１コード５ａ及び、第２コード５ｂをそれぞれ発熱体４の表面に設けている。前記電源コード５は、前記シート袋３内部にある発熱体４との間に、細い配線となる第１コード５ａ、第２コード５ｂを包含している。
【００１６】
なお、前記第１コード５ａ及び第２コード５ｂは、発熱体４に対し各平行になるように設けているが、止め結びのように、各コードが互いにリングを作るように結びめをつけることで、第２ポケット２ｂから第１コード５ａ、第２コード５ｂ各々の「抜け防止」となる。
【００１７】
ポケット２は、前記シート袋３の上シート材３ａ又は下シート材３ｂのいずれかの表面に設けた略長方形の形状であり、電源コード５及び、電源コード５の内部に収納した第１コード５ａ、第２コード５ｂを固定すると共に、水等の浸入を防止するために、樹脂を注入する袋状の第１ポケット２ａ、第２ポケット２ｂとからなる。
【００１８】
第１ポケット２ａは、最初に電源コード５を挿入し、電源コード５の外周を保持するための略楕円状の挿通孔２ｉ、２ｊを第１ポケット２ａの上面に設けたポケットである。
また、挿通孔２ｉ、２ｊに電源コード５を挿通することで、挿通孔２ｉ、２ｊ上面は、略トンネル状になり、第１ポケット２ａの内部に接着材や樹脂材等（図示せず）を充填することができるため、前記電源コード５の外周を固定することができる。
【００１９】
ゆえに、第１ポケット２ａは、第１コード５ａ、第２コード５ｂに分離する前に電源コード５を樹脂で保持することができる。なお、前記接着は、第１ポケット２ａの挿通孔２ｉ、２ｊの内部のみならず、前記挿通孔２ｉの入口付近２ｋと、挿通孔２ｊを通過した後の出口付近２ｌの双方を固定することができる。
【００２０】
本発明に使用する接着材は市販品である。速乾性の接着材が好ましい。なお、接着方法は、電源コード５と、第１ポケット２ａ上の入口付近２ｋと、同第１ポケット２ａの出口付近２ｌに前記接着材を塗布し、５〜１０分置いて、少し乾かしてから前記電源コード５と第１ポケット２ａの表面とを圧着すればよい。
【００２１】
第２ポケット２ｂは、前記電源コード５から分岐した前記第１コード５ａ、第２コード５ｂの各々を樹脂６内で保持できる部材である。第２ポケット２ｂの中心部に設けた注入孔２ｄからペースト状の樹脂６を注入する袋である。
【００２２】
挿通孔２ｅ及び挿通孔２ｆは、樹脂６を充填する際に第２ポケット２ｂの内部に発生する空気を抜くための空気孔となり、樹脂６を注入した後、第２ポケット２ｂ全体に樹脂６が空気等の隙間なく、隅々にまで広がるため、雨水や雪溶水の浸入を完全に防止することができる。
【００２３】
樹脂６とは、シリコン等のコーキング材である。前記シリコンとは、シリコンポリマーを主成分とし、硬化前はペースト状で、硬化後はゴム状の弾性体となる材料である。本発明で使用する樹脂６は、変色、ひび割れ、変形等が起こりにくい樹脂を使用することが好ましい。
【００２４】
第２ポケット２ｂは、上面に樹脂材等を注入する円状の注入孔２ｄと、注入孔２ｄから入りこんだ樹脂が目視確認できる略Ｃ字状の注入路２ｃと、前記注入路２ｃへの充填が完了すると同時に盛り上がる突出部２ｇとからなる。
【００２５】
なお、第２ポケット２ｂの下面で上シート材３ａと一体化した位置には、電源コード５から２本のコードに分岐した第１コード５ａ、第２コード５ｂのそれぞれ一本づつ挿入することができる挿通孔２ｆを設けている。
【００２６】
また、前記挿通孔２ｆに隣接し、略Ｃ字状の注入路２ｃの開口部の位置に設けたのは、逆止弁２ｈである。逆止弁２ｈとは、注入孔２ｄから、樹脂６が注入され、注入路２ｃが完全に充填し終えた後に、樹脂６が第２ポケット２ｂの内部に流れ込むための開口部である。
【００２７】
本発明である防水電熱シート１を構成する第１ポケット２ａ及び第２ポケット２ｂの取付位置は、取付部材の中央に配置することが好ましい。しかしながら前記第１ポケット２ａ及び第２ポケット２ｂからなるポケット２の取付位置を限定せず、用途に応じて取り付け位置を自由に変更することができる。
【００２８】
図３は、本発明である防水電熱シートのＡ−Ａ縦断面図、図４は、本発明である防水電熱シートのＢ−Ｂ縦断面図、図５は、本発明である防水電熱シートに樹脂を充填したＢ−Ｂの縦断面図について詳細を説明する。
【００２９】
図３に示したのは前記図２に示した防水電熱シート１のＡ−Ａ縦断面図である。
図３に示したように略楕円状の電源コード５は、ポケット２の中央の位置に設置し、なおかつ、前記電源コード５の外周を樹脂６で固定して設けている。よって、万が一雨水等が浸入した場合でも樹脂６に完全に覆われていることで漏電やショート等の危険を防止することができる。
【００３０】
図４に示したように、本発明である防水電熱シート１を構成する第１コード５ａ、第２コード５ｂは、ポケット２から発熱体４までの間、略円筒状の絶縁チューブ５ｃをそれぞれ使用することができる。絶縁チューブ５ｃは、熱収縮チューブであり、耐水性に富んだポリオレフィン系の材料を使用する。なお、絶縁チューブ５ｃの内部には圧着端子（図示せず）を使用することができる。
【００３１】
図５に示したように、本発明である防水電熱シート１は、先細の筒状の樹脂充填ガン７
の先端を注入孔２ｄに挿入し、略く字状の握部７ａを狭めるように握ることで、胴部７ｂの内部のカートリッジ８から、簡単に防水電熱シート１を構成する第２ポケット２ｂの内部に樹脂６を充填することができる。
【００３２】
樹脂６は、注入路２ｃを通ってポケット２の内部に挿通した孔である逆止弁２ｈから、空間内に充填され、いったん第２ポケット２ｂの空間内に充填され、略台形状の形状となる。
そして、第２ポケット２ｂの充填が完了した時点で、逆止弁２ｈの上部にある突出部２ｇ
まで完全に充填され、注入路２ｃの上面がやや膨張する。
【００３３】
よって、樹脂６を充填する作業者は、常に樹脂６の充填量を目視確認することができ、第２ポケット２ｂに設けた挿通孔２ｆ等から余分に樹脂６等が漏れ出すことなく、簡単に電源コード５の防水及び固定作業を行うことができる。
【００３４】
図６は本発明である防水電熱シートのＢ−Ｂ縦断面の拡大図である。図６の防水電熱シートの拡大図に示したように、ポケット２の内部にシリコン樹脂６を充填している。シリコン樹脂６は、樹脂６がある程度硬化した後に第２ポケット２の上面の注入路２ｃを指の先端で押すことで硬化したかどうかの確認を行うことができる。また、注入路２ｃの先端を押すことで逆止弁２ｈに前記樹脂６からの内圧がかかり、密着するため、注入孔２ｄ及び挿通孔２ｅ、挿通孔２ｆから樹脂が漏れ出すことはない。
【図面の簡単な説明】
【００３５】
【図１】本発明である発熱体を収納した防水電熱シートの正面図である。
【図２】本発明である防水電熱シートの正面図である。
【図３】本発明である防水電熱シートのＡ−Ａ縦断面図である。
【図４】本発明である防水電熱シートのＢ−Ｂ縦断面図である。
【図５】本発明である防水電熱シートに樹脂を充填したＢ−Ｂの縦断面図である。
【図６】本発明である防水電熱シートのＢ−Ｂ縦断面の拡大図である。
【符号の説明】
【００３６】
１      防水電熱シート
２      ポケット
２ａ    第１ポケット
２ｂ    第２ポケット
２ｃ    注入路
２ｄ    注入孔
２ｅ    挿通孔
２ｆ    挿通孔
２ｇ    突出部
２ｈ    逆止弁
２ｉ    挿通孔
２ｊ    挿通孔
２ｋ    入口付近
２ｌ    出口付近
３      シート袋
３ａ    上シート材
３ｂ    下シート材
３ｃ    外縁
４      発熱体
４ａ    繊維層
４ｂ    スポンジ層
５      電源コード
５ａ    第１コード
５ｂ    第２コード
５ｃ    絶縁チューブ
６      樹脂
７      樹脂充填ガン
７ａ    握部
７ｂ    胴部
８      カートリッジ
【図１】
2005310443.tif 000003
【図２】
2005310443.tif 000004
【図３】
2005310443.tif 000005
【図４】
2005310443.tif 000006
【図５】
2005310443.tif 000007
【図６】
2005310443.tif 000008